(57)【要約】【課題】障子開閉装置のハウジングの小型化が図られた建具を提供すること。【解決手段】障子開閉装置は、障子に連結され被操作部回転軸を中心として回転する被操作部９１１と、被操作部９１１に連結され被操作部９１１を駆動する操作部と、障子が全開状態にまで至らない半開状態で障子を更に開くことができないように被操作部９１１の回転を規制する規制部材９２と、を備え、規制部材９２は、被操作部９１１の回転を規制可能な回転規制位置と、回転規制位置よりも被操作部回転軸の径方向における内側の位置であって被操作部９１１の回転を規制しない回転非規制位置と、の間を移動可能である建具である。【選択図】図１３
2020200693.tif 000002
【特許請求の範囲】
【請求項１】
枠体と、
前記枠体内に開閉可能に取り付けられ框体を有する障子と、
前記枠体に取り付けられ、前記障子を開閉操作可能な障子開閉装置と、を備え、
前記障子開閉装置は、
前記障子に連結され被操作部回転軸を中心として回転する被操作部と、
前記被操作部に連結され前記被操作部を駆動する操作部と、
前記障子が全開状態にまで至らない半開状態で前記障子を更に開くことができないように前記被操作部の回転を規制する規制部材と、を備え、
前記規制部材は、前記被操作部の回転を規制可能な回転規制位置と、前記回転規制位置よりも前記被操作部回転軸の径方向における内側の位置であって前記被操作部の回転を規制しない回転非規制位置と、の間を移動可能である建具。
【請求項２】
前記被操作部は、前記被操作部回転軸と一体回転し前記回転規制位置にある前記規制部材が係合可能な規制部材係合部を有し、
前記規制部材係合部は、前記障子を閉じた状態となる位置に前記被操作部が操作されるまでの間、前記規制部材が前記回転非規制位置へ移動することを規制する規制部材移動規制部を有する請求項１に記載の建具。
【請求項３】
前記規制部材係合部は、前記被操作部が前記半開状態よりも前記障子が開かれた状態となる位置に操作されているときに、前記規制部材を前記回転非規制位置に維持する位置維持部を備える請求項２に記載の建具。
【請求項４】
前記被操作部は、第１被回転部と、前記第１被回転部と一体回転可能な第２被回転部とを有し、
前記第１被回転部は、第１被係合貫通孔を有し、
前記第２被回転部は、前記規制部材移動規制部と、前記位置維持部と、第２被係合貫通孔と、を有し、
前記被操作部回転軸は、前記第１被係合貫通孔及び前記第２被係合貫通孔を貫通し連結する係合柱部を有する請求項３に記載の建具。
【発明の詳細な説明】
【技術分野】
【０００１】
本発明は、障子を開閉するための障子開閉装置を備えた建具に関する。
【背景技術】
【０００２】
従来、窓（障子）を開閉するためのオペレーターハンドルを有する障子開閉装置を備えた建具が知られている（例えば、特許文献１参照）。特許文献１に記載の建具においては、オペレーターハンドルを有する障子開閉装置が記載されている。障子開閉装置は、建具の枠体の下枠や縦枠に取り付けられる。
【先行技術文献】
【特許文献】
【０００３】
【特許文献１】特開平１０−２８０７９８号公報
【発明の概要】
【発明が解決しようとする課題】
【０００４】
プライバシーを確保しながら室内に採風したり、障子が屋外障害物に衝突することを防止したりする場合には、障子の開度は、いわゆる半開状態の開度に維持される。上述の従来の建具における障子開閉装置には、障子を予め決められた半開状態の開度とすることができるように、全閉の状態からオペレーターハンドルが回転させられて障子が開かれてゆくと、障子が当該半開状態の開度で止まり、オペレーターハンドルがそれ以上回転できないように規制する規制部材が設けられている。そして、規制部材により規制を行う場合と、規制を行わずに障子を全開可能な状態とする場合との切換えを行うための切換部材が設けられている。
【０００５】
規制部材は、オペレーターハンドルが回転させられることにより駆動され回転する揺動アームの揺動を規制するように、揺動アームと一体で回転する回転部材に係合する。この係合は、規制部材が回転部材の径方向外側から径方向内側へ移動して、回転部材の被係合部に係合することにより行われる。
【０００６】
しかし、規制部材を規制していない状態とする際には、規制部材を回転部材の径方向外側へ移動させて回転部材に係合しない状態とする必要があるため、障子開閉装置における回転部材の径方向外側の部分に、規制部材の逃がししろを確保する必要があり、障子規制部材のハウジング（ケース）の小型化が困難であった。
【０００７】
本発明は、障子開閉装置のハウジングの小型化が図られた建具を提供することを目的とする。
【課題を解決するための手段】
【０００８】
本発明は、枠体と、前記枠体内に開閉可能に取り付けられ框体を有する障子と、前記枠体に取り付けられ、前記障子を開閉操作可能な障子開閉装置と、を備え、前記障子開閉装置は、前記障子に連結され被操作部回転軸を中心として回転する被操作部と、前記被操作部に連結され前記被操作部を駆動する操作部と、前記障子が全開状態にまで至らない半開状態で前記障子を更に開くことができないように前記被操作部の回転を規制する規制部材と、を備え、前記規制部材は、前記被操作部の回転を規制可能な回転規制位置と、前記回転規制位置よりも前記被操作部回転軸の径方向における内側の位置であって前記被操作部の回転を規制しない回転被規制位置と、の間を移動可能である建具に関する。
【図面の簡単な説明】
【０００９】
【図１】本発明の一実施形態に係る建具を屋内側から見た正面図である。
【図２】本発明の一実施形態に係る建具を屋内側から見た様子を示す拡大正面図であって、オペレーターハンドルを操作位置に配置した状態を示す図である。
【図３】図２に示す状態から、オペレーターハンドルを非操作位置に移動させた状態を示す拡大斜視図である。
【図４】本発明の一実施形態に係る建具のオペレーターハンドルが操作位置にある状態を示す横断面図である。
【図５】本発明の一実施形態に係る建具のオペレーターハンドルが非操作位置にある状態を示す横断面図である。
【図６】本発明の一実施形態に係る建具の障子開閉装置のハウジングを示す前方斜視図である。
【図７】本発明の一実施形態に係る建具の障子開閉装置からハウジングを取り除いた様子を示す斜視図である。
【図８】本発明の一実施形態に係る建具の障子開閉装置のハウジングを示す側方斜視図である。
【図９】本発明の一実施形態に係る建具の障子開閉装置からハウジングを取り除いた様子を示す下方斜視図である。
【図１０】本発明の一実施形態に係る建具の障子開閉装置のハウジングの下部を示す断面図である。
【図１１】本発明の一実施形態に係る建具の障子開閉装置の揺動アームの基部の構成を示す分解斜視図である。
【図１２】本発明の一実施形態に係る建具の障子開閉装置のストッパーが回転規制位置にある様子を示す斜視図である。
【図１３】本発明の一実施形態に係る建具の障子開閉装置のストッパーが回転規制位置にあり、揺動アームの基部の回転を規制している様子を示す斜視図である。
【図１４】本発明の一実施形態に係る建具の障子開閉装置のストッパーが回転非規制位置にある様子を示す斜視図である。
【図１５】本発明の一実施形態の変形例に係る建具の障子開閉装置を示す正面図である。
【発明を実施するための形態】
【００１０】
以下、本発明の好ましい実施形態について、図面を参照しながら説明する。
図１は、建具１を屋内側から見た正面図である。図２は、建具１を屋内側から見た様子を示す拡大正面図であって、オペレーターハンドル８０を操作位置に配置した状態を示す図である。図３は、図２に示す状態から、オペレーターハンドル８０を非操作位置に移動させた状態を示す拡大斜視図である。図４は、建具１のオペレーターハンドル８０が操作位置にある状態を示す横断面図である。図５は、建具１のオペレーターハンドル８０が非操作位置にある状態を示す横断面図である。図６は、建具１の障子開閉装置５０のハウジング６０を示す前方斜視図である。図７は、建具１の障子開閉装置５０からハウジング６０を取り除いた様子を示す斜視図である。図８は、建具１の障子開閉装置５０のハウジング６０を示す側方斜視図である。図９は、建具１の障子開閉装置５０からハウジング６０を取り除いた様子を示す下方斜視図である。図１０は、建具１の障子開閉装置５０のハウジング６０の下部を示す断面図である。
【００１１】
なお、本明細書において、「見付方向」とは、建物に形成された開口部に納められた建具の枠体１０に収められる障子２０の面内方向を意味し、「見込方向」とは、屋内外方向（即ち、奥行き方向）を意味する。
【００１２】
図１に示すように、建具１は、建物の開口部に固定される枠体１０と、枠体１０にヒンジ（図示せず）を介して開閉可能に取り付けられる外開きの障子２０と、オペレーターハンドル８０（操作部）を有する障子開閉装置５０と、を備える横辷り出しの開閉窓である。障子２０は、枠体１０内に開閉可能に取り付けられる。本実施形態においては、オペレーターハンドル８０は、図１〜図３に示すように、枠体１０の下枠１２（後述）の屋内側の見付面１２ａ（後述）に取り付けられる。本実施形態の建具１は、オペレーターハンドル８０を操作位置（図２参照）と非操作位置（図３参照）とに操作を行うことが可能である。操作位置にあるオペレーターハンドル８０において操作回転軸Ｊ２（図４参照）を中心に回転操作することで、障子２０を屋外側に開くことが可能である。
【００１３】
枠体１０は、図１に示すように、上枠１１、下枠１２、吊元側縦枠１３及び戸先側縦枠１４が矩形に枠組みされて構成される。枠体１０には、外開きの障子２０が開閉可能に取り付けられる。
【００１４】
図１に示すように、下枠１２は、中空状の下枠本体１２１と、下枠本体１２１の屋内側の端部の上部に接続される屋内側部分１２２と、屋内側部分１２２の上部に配置される屋内側ハンドル配置部１２３と、を有する。屋内側部分１２２及び屋内側ハンドル配置部１２３は、中空状に形成され、上下方向に並んで配置され、屋内側ハンドル配置部１２３の見付面には、障子開閉装置５０が固定される。
【００１５】
屋内側ハンドル配置部１２３は、戸先側下框３２のガラス配置部３２１（後述）の屋内側に配置される。下枠本体１２１の上面１２１ａと屋内側部分１２２の屋外側の見付面と屋内側ハンドル配置部１２３の屋外側の見付面とで構成される、下枠１２の屋外側の空間には、障子２０の閉位置において、障子２０の戸先側下框３２が配置される。
【００１６】
障子２０は、枠体１０内に開閉可能に取り付けられる。障子２０は、図１に示すように、枠体１０の屋外側に配置される。障子２０は、ガラス２５（面材）と、ガラス２５を囲うように構成される框体３０と、を含んで構成される。ガラス２５は、框体３０の内側に配置される。ガラス２５は、例えば、複層ガラスなどにより構成される。框体３０は、図１に示すように、吊元側上框３１、戸先側下框３２、縦框３３及び縦框３４が矩形に枠組みされて構成される。障子２０は、吊元側上框３１に沿って左右方向に延びる回動軸３１ａを中心に回動することで、開閉される。
【００１７】
戸先側下框３２は、図１に示すように、戸先側下框３２の屋外側において上方側に配置されるガラス配置部３２１と、ガラス配置部３２１の下側に配置される方形部分３２２と、方形部分３２２の下側に配置される開放部分３２３と、を有する。ガラス配置部３２１、方形部分３２２及び開放部分３２３は、ガラス２５の端部から、上側から下側にこの順で並んで配置される。ガラス配置部３２１には、ガラス２５の端部が収容される。
【００１８】
障子２０は、オペレーターハンドル８０を操作位置に位置させた状態で回転操作を行うことにより、框体３０の吊元側上框３１に配置される回動軸３１ａ（図１参照）を中心に回動することで開閉される。
【００１９】
次に、障子開閉装置５０について説明する。障子開閉装置５０は、図２等に示すように、ハウジング６０と、オペレーターハンドル８０と、揺動アーム９１とを備えている。ハウジング６０は、中空のアルミ押し出し材により構成されたモノコック構造を有する金属製本体６５１（図６等参照）をしており、金属製本体６５１の全体は樹脂製のカバー６５２により覆われている。
【００２０】
ハウジング６０の内部においては、オペレーターハンドル８０に接続された回動軸部材６２１に接続された歯車軸部材６４に形成された駆動側歯車６４２と、揺動アーム９１と一体回転する回転部としての基部９１１に形成された従動側歯車９１３とが螺合している。オペレーターハンドル８０が回転させられることにより、回動軸部材６２１が回転し、歯車軸部材６４及び駆動側歯車６４２が回転し、これにより、揺動アーム９１と一体回転する基部９１１が、被操作部回転軸としての中心軸９１２を中心として回転して揺動アーム９１が揺動するように構成されている。歯車軸部材６４と、駆動側歯車６４２と、揺動アーム９１（基部９１１）と、従動側歯車９１３とは、駆動装置部を構成する。
【００２１】
揺動アーム９１の基部９１１は、図１１に示すように、上板部９１１２と下板部９１１６とを有している。上板部９１１２は、アーム延出部９１１１及び係合用凸部９１４と一体成形されて構成された円盤形状に形成されている。上板部９１１２の中央部には、正方形状の上板貫通孔９１１３が形成されている。下板部９１１６は円盤形状に形成されている。下板部９１１６の周縁部の一部には従動側歯車９１３を構成する歯９１３１が形成されている。下板部９１１６の中央部には、上板貫通孔９１１３と同一形状の正方形状の下板貫通孔９１１７が形成されている。
【００２２】
中心軸９１２は、下端部を構成する下端部円柱部９１２１と、下端部円柱部９１２１の上部に接続された中部円柱部９１２２と、中部円柱部９１２２の上部に接続された四角柱部９１２３と、四角柱部９１２３の上部に接続された上部円柱部９１２４とを有している。下端部円柱部９１２１、中部円柱部９１２２、及び、四角柱部９１２３は、上板貫通孔９１１３及び下板貫通孔９１１７を貫通し、四角柱部９１２３が上板貫通孔９１１３及び下板貫通孔９１１７に貫通している状態で、中心軸９１２は、基部９１１に装着されている。四角柱部９１２３が上板貫通孔９１１３及び下板貫通孔９１１７に貫通しているため、上板部９１１２と下板部９１１６とは一体で回転するように構成されている。
【００２３】
ハウジング６０においてオペレーターハンドル８０に接続されている回動軸部材６２１は、下枠１２の下方側から上方側に向かうに従ってガラス２５から屋内側に向かう側に傾斜して延びて形成される。そのため、オペレーターハンドル８０は、下方側から上方側に向かうに従ってガラス２５から離れるように、ガラス２５に対して傾斜して配置される。
【００２４】
オペレーターハンドル８０は、図４、図５に示すように、ハンドル本体８１と、摘まみ部８３と、を有する。ハンドル本体８１は、略四角柱状に形成される。ハンドル本体８１の先端部８１２は、図３に示すようにオペレーターハンドル８０が非操作位置にあるときに、屋外側の方向へ向かうように折れ曲がっている。折れ曲がった先端部８１２の端部には、更に突出する突出部８１３（図４参照）が設けられており、突出部８１３には、突出部８１３に対して自由に回転可能であるが突出部８１３から取り外れないように突出部８１３に嵌合する略球形状の摘まみ部８３が設けられている。
【００２５】
オペレーターハンドル８０は、障子２０を開閉操作可能な操作位置と、障子２０を開閉操作しないときに障子開閉操作部のハウジング６０の外面に沿って配置される非操作位置と、に回動軸部材６２１の回動軸Ｊ１を中心に回動可能である。
【００２６】
オペレーターハンドル８０の非操作位置は、図３、図５に示すように、オペレーターハンドル８０の折れ曲がっている先端部８１２に対する基部８１１の部分が、障子開閉操作部のハウジング６０の外面、より具体的には、回動軸部材６２１がハウジング６０を貫通している貫通部６１１の外面６１２に沿って配置される。この貫通部６１１の外面６１２は、ハウジング６０の上面と、ハウジング６０の屋内側の見付面と、を接続するようにこれらに対して、それぞれ所定の角度をなす傾斜面により構成されており、ハウジング６０の長手方向に延びている。貫通部６１１の外面の延びる方向に沿って、オペレーターハンドル８０の基部８１１の部分が対向して延びるように、非操作位置においてオペレーターハンドル８０は配置される。また、外面６１２であって、オペレーターハンドル８０が非操作位置にあるときに、オペレーターハンドル８０に対向するハウジング６０の外面６１２の部分には、障子２０が全開状態にまで至らない半開状態で障子２０を更に開くことができないように揺動アーム９１の回転（回動）を規制するか規制しないかの切り替えを行う切替操作部としての切替スイッチ６１４（図２参照）が設けられている。
【００２７】
オペレーターハンドル８０の操作位置は、図２、図４に示すように、屋内側へ貫通部６１１の外面６１２から突出する位置である。オペレーターハンドル８０は、操作位置において、ハウジング６０の最も屋内側の部分よりも屋内側へ突出する。
【００２８】
障子開閉装置５０は、操作部としてのオペレーターハンドル８０が操作位置にあるときに、オペレーターハンドル８０が回動軸Ｊ１を中心に回動することを防止するための回動防止機構を有している。また、回動防止機構による操作部の回動の防止を解除するための解除部材としてのボタン８１８を有している。
【００２９】
具体的には、回動防止機構は、図４等に示すように、回動軸部材６２１に形成された複数の周方向凹部６０１と、係合軸部８１６と、係合軸部８１６に固定され係合軸部８１６と一体で移動可能な被駆動部８１７と、被駆動部８１７と一体で移動可能であり係合軸部８１６と軸心が一致する位置関係を有する係合軸部８１９と、を有している。
【００３０】
係合軸部８１６は、円柱形状に形成されており、圧縮ばね８１５により回動軸部材６２１の方向へ移動するように付勢されている。被駆動部８１７は、回動軸部材６２１の途中の部分に固定されている。被駆動部８１７は、係合軸部８１６の移動方向に対して傾斜する被駆動斜面８１７１を有している。被駆動斜面８１７１は、図４等に示すように、係合軸部８１６に直交する方向において、回動軸部材６２１から離れるにつれて幅が広がるように傾斜している。
【００３１】
係合軸部８１９は、一端部が被駆動部８１７に接続され、他端部は、被駆動部８１７の軸心に対して傾斜する傾斜部８１９１を有している。傾斜部８１９１を有する係合軸部８１９の他端部は、周方向凹部６０１に対して被駆動部８１７及び係合軸部８１６と一体的に進退可能である。
【００３２】
ボタン８１８は、オペレーターハンドル８０が非操作位置にあるときに、ハウジング６０の貫通部６１１の外面６１２に対向するハンドル本体８１の部分に形成された貫通孔を貫通して設けられており、貫通孔の貫通方向において移動可能である。従って、図３に示すように、オペレーターハンドル８０が非操作位置にあるときには、オペレーターハンドル８０を操作する側である屋内側から障子開閉装置５０を見たときに、ボタン８１８はハンドル本体８１によって隠された状態となっており、見えない状態となっている。また、オペレーターハンドル８０が非操作位置にあるときに、切替操作部としてのハウジング６０の外面６１２の切替スイッチ６１４（図２参照）は、図３に示すように、オペレーターハンドル８０によって隠された状態となっており、見えない状態となっている。図２に示すように、オペレーターハンドル８０が操作位置にあるときには、オペレーターハンドル８０を操作する側である屋内側から障子開閉装置５０を見たときに、ボタン８１８が見える状態になる。また、このとき、切替スイッチ６１４も見える状態になっている。
【００３３】
ハンドル本体８１の外部に露出しているボタン８１８の部分であって、回動軸部材６２１寄りのボタン８１８の端部は、図２に示すように矩形に形成され、摘まみ部８３寄りのボタン８１８の端部は半円形に形成され、ハンドル本体８１の長手方向はハンドル本体８１の長手方向に平行である。
【００３４】
図４等に示す断面では、ボタン８１８の上部は矩形に形成され、下部はボタン傾斜面８１８１を有している。ボタン傾斜面８１８１は被駆動斜面８１７１と平行の位置関係にあり、ボタン傾斜面８１８１と被駆動斜面８１７１とは、常時面で当接している。ボタン８１８をハンドル本体８１の外側から押すことにより、被駆動斜面８１７１がボタン傾斜面８１８１に対して摺動して回動軸部材６２１から離れる方向へ押されて、周方向凹部６０１に係合していた係合軸部８１９が周方向凹部６０１から外れる。
【００３５】
これにより、ハンドル本体８１は、回動軸部材６２１に対して回動可能となるように構成されている。周方向凹部６０１は、図４等に示すように、回動軸Ｊ１を中心として回動軸部材６２１の先端部の円形部の周方向に、約１２０°の位置関係で２つ形成されている。一方の周方向凹部６０１に係合軸部８１９が係合することにより、オペレーターハンドル８０が非操作位置に維持され、他方の周方向凹部６０１に係合軸部８１９が係合することにより、オペレーターハンドル８０が操作位置に維持される。
【００３６】
オペレーターハンドル８０が非操作位置にあるときに、係合軸部８１９が係合する周方向凹部６０１の深さは浅い。このため、ボタン８１８を押さなくても、傾斜部８１９１に沿って係合軸部８１９は、周方向凹部６０１から抜け出して、オペレーターハンドル８０を操作位置へ移動させることができるように構成されている。オペレーターハンドル８０が操作位置にあるときに、係合軸部８１９が係合する周方向凹部６０１の深さは、係合軸部８１９の他端部の、傾斜部８１９１が設けられている部分の長さよりも深い。このため、ボタン８１８を押さないと、係合軸部８１９を、周方向凹部６０１から抜け出してオペレーターハンドル８０を非操作位置へ移動させることができないように構成されている。
【００３７】
オペレーターハンドル８０に接続された回動軸部材６２１は、障子開閉装置５０のハウジング６０に収容された操作部回転軸としての歯車軸部材６４の端部６４１に一体回転可能に接続されている。歯車軸部材６４の途中の部分には、図７等に示すように、駆動側歯車６４２が螺刻されている。また、ハウジング６０には、被操作部としての揺動アーム９１の基部９１１が揺動アーム９１と一体回転可能に収容されている。基部９１１は、略円盤形状に形成されている。基部９１１の周囲には、従動側歯車９１３が螺刻されており、従動側歯車９１３は、駆動側歯車６４２と螺合することにより連結されている。従って、オペレーターハンドル８０を操作位置としてオペレーターハンドル８０を回転させることにより、歯車軸部材６４が回転し、これにより基部９１１が回転して揺動アーム９１が揺動するように構成されている。揺動アーム９１の先端部に形成された貫通孔９１９には、図示しない金具を介して障子２０が接続されている。
【００３８】
揺動アーム９１の基部９１１の上面には、規制部材係合部としての係合用凸部９１４が設けられている。係合用凸部９１４は、基部９１１の周縁に沿って、当該周縁から基部９１１の径方向内方の所定の位置に至るまでの所定の幅で、基部９１１の周縁に沿って基部９１１の中心角で約８０度程度の範囲に設けられており、基部９１１の上面から上方向へ突出し、平面視で扇形に形成されている。
【００３９】
係合用凸部９１４は、規制部材移動規制部９１４１を有している。規制部材移動規制部９１４１は、基部９１１の周方向における係合用凸部９１４の端部であって、基部９１１の径方向の内側の端部から、基部９１１の周方向に沿って突出しており、基部９１１と一体成形されて設けられている。また、係合用凸部９１４は、位置維持部９１４２を有している。位置維持部９１４２は、扇形の係合用凸部９１４の内周面により構成される。
【００４０】
また、障子開閉装置５０のハウジング６０には、障子が全開状態にまで至らない半開状態で障子を更に開くことができないように揺動アームの回転（回動）を規制する規制部材としてのストッパー９２が収容されている。ストッパー９２は、回転軸９３を中心として回動可能にハウジング６０に支持されている。
【００４１】
ストッパー９２は、板状の金属部材により構成され回転軸９３に接続されたストッパー本体部９２１と、ストッパー先端部９２２と、他端部９２４とを有している。ストッパー本体部９２１の一端側は、回転軸９３から中心軸９１２の方へ延び、途中で障子２０が開く方向における揺動アーム９１の揺動方向（図７において中心軸９１２を中心とする時計回り方向）の側に若干折れ曲がる形状に形成されている。
【００４２】
ストッパー９２の一端部の先端は、中心軸９１２と平行に基部９１１に近づくように折り曲げられ、基部９１１から離れた所定の位置まで至る規制部材先端部としてのストッパー先端部９２２を有している。この所定の位置は、係合用凸部９１４の上面よりも、中心軸９１２の軸方向下側（図７の手前側から奥側へと向かう方向における奥側）の位置である。これに対して基部９１１に対向するストッパー本体部９２１の下面は、係合用凸部９１４の上面よりも、中心軸９１２の軸方向上側（図７の奥側から手前側へと向かう方向における手前側）に位置している。
【００４３】
ストッパーの他端部９２４は、ストッパー本体部９２１に対して直交する位置関係の板状に構成されており、中心軸９１２から離れるように延びている。他端部９２４は、障子開閉装置５０のハウジング６０の内部に位置しているスライドスイッチ９５の２枚の平行な板状部９５１の間に配置されている。スライドスイッチ９５をその長手方向（図７における左右方向）に移動させることにより、ストッパー９２は、回転軸９３を中心として揺動し、後述する回転規制位置と、回転非規制位置と、の間を移動するように構成されている。
【００４４】
ハウジング６０には、図６、図８に示すように、一端部開口６１５と、他端部開口６１６と、歯車軸部材６４の一端側が貫通する貫通孔６３１１と、歯車軸部材６４の他端側が挿入され支持される貫通孔６３１２と、中心軸９１２の一端部が支持される貫通孔６３２１と、中心軸９１２の他端部が支持される貫通孔６３２２と、回転軸９３の一端部が支持される貫通孔６３３１と、回転軸９３の他端部が支持される貫通孔６３３２と、スライドスイッチ９５がスライド可能な貫通孔６３４１と、が形成されている。
【００４５】
ハウジング６０を構成する金属製本体６５１は、前述のようにアルミ押し出し材により構成されているため、図６、図８に示すように、一端部開口６１５と、他端部開口６１６とにおいて、ハウジング６０の両端部が開口している。
【００４６】
歯車軸部材６４（図７等参照）の一端部側には、キャップ６４５が装着されている。キャップ６４５の周面に平行に形成されたフランジ形状の部分が貫通孔６３１１（図８参照）に嵌め込まれて回転させられてキャップ６４５がハウジング６０に固定されることにより、キャップ６４５を介して歯車軸部材６４の一端部側の部分が、ハウジング６０の金属製本体６５１の上側傾斜壁部６５１５に支持される。歯車軸部材６４の他端部は、貫通孔６３１２に挿入されて、回転可能にハウジング６０の下側傾斜壁部６５１６に支持されている。
【００４７】
中心軸９１２（図７等参照）の一端部は、貫通孔６３２１（図８参照）に挿入されてキャップ９１５（図７等参照）が装着されている。キャップ９１５の周面に平行に形成されたフランジ形状の部分が貫通孔６３２１に嵌め込まれて回転させられてキャップ９１５がハウジング６０に固定されることにより、キャップ９１５を介して中心軸９１２の一端部側の部分が、ハウジング６０の金属製本体６５１の上壁６５１１に支持される。中心軸９１２の他端部は、貫通孔６３２２に挿入されて、ハウジング６０の金属製本体６５１の下壁６５１２に固定されている。
【００４８】
回転軸９３（図７等参照）の一端部は、他端部開口６１６（図８参照）に至るまで延びる貫通孔６３３１に挿入されてキャップ９３５（図７等参照）が装着されている。キャップ９３５の周面に平行に形成されたフランジ形状の部分が貫通孔６３３１を塞ぐようにしてキャップ９３５がハウジング６０に固定されることにより、キャップ９３５を介して回転軸９３の一端部側の部分が、ハウジング６０の金属製本体６５１の上壁６５１１に支持される。回転軸９３の他端部は、貫通孔６３３２に挿入されて、ハウジング６０の金属製本体６５１の下壁６５１２に固定されている。
【００４９】
スライドスイッチ９５の２枚の平行な板状部９５１（図７等参照）は、長方形状の長孔により構成される貫通孔６３４１（図８参照）に挿入されている。板状部９５１が一体成形されて固定されているスライドスイッチ９５の長方形の板状本体部９５２は、ハウジング６０の外側に位置している。スライドスイッチ９５の２枚の平行な板状部９５１は、長孔により構成される貫通孔６３４１においてハウジング６０の長手方向（図６の左右方向）に沿って移動可能である。
【００５０】
次に、ストッパー９２による揺動アーム９１の回動の規制（基部９１１の回転の規制）について説明する。図１２は、建具１の障子開閉装置５０のストッパー９２が回転規制位置にある様子を示す斜視図である。図１３は、建具１の障子開閉装置５０のストッパー９２が回転規制位置にあり、揺動アーム９１の基部９１１の回転を規制している様子を示す斜視図である。図１４は、建具１の障子開閉装置５０のストッパー９２が回転非規制位置にある様子を示す斜視図である。
【００５１】
ストッパー９２のストッパー先端部９２２は、スライドスイッチ９５が最も歯車軸部材６４に近づく位置（図１２等における左側の位置）に移動させられることにより、図１２、図１３に示すように、中心軸９１２の径方向において最も外側に位置する状態とされる。このとき、ストッパー９２は、揺動アーム９１の基部９１１の回転を規制可能な回転規制位置にある。ストッパー９２が回転規制位置にある図１２に示す状態（障子２０が全閉の状態）のときに、オペレーターハンドル８０が回転させられて基部９１１が回転してゆくと、図１３に示すように、ストッパー先端部９２２に、中心軸９１２の周方向における係合用凸部９１４の端縁が当接する。これにより、基部９１１の回転が規制され、揺動アーム９１の揺動が規制され、障子２０はこれ以上開かなくなり半開の状態が維持される。
【００５２】
このとき、スライドスイッチ９５を、最も歯車軸部材６４から離れた位置（図１３における右側の位置）に移動させようとして、ストッパー先端部９２２を、中心軸９１２の径方向の内側に回動させようとしても、ストッパー先端部９２２は規制部材移動規制部９１４１に当接しているため、中心軸９１２の径方向の内側に回動できない。即ち、規制部材移動規制部９１４１は、障子２０が全閉状態となる位置に揺動アーム９１が操作されるまでの間、ストッパー９２が回転非規制位置へ移動することを規制する。
【００５３】
図１３に示すように、障子２０の半開の状態が維持されている状態から、障子２０を全開することが可能な状態とするためには、先ず、オペレーターハンドル８０が、先ほど回転させられた方向とは反対の方向に回転させられることにより、図１２に示すように、障子２０が全閉の状態とされる。そして、スライドスイッチ９５が最も歯車軸部材６４から離れた位置（図１２における左側の位置）に移動させられることにより、図１４に示すように、ストッパー９２のストッパー先端部９２２は、中心軸９１２の径方向において最も内側に位置する状態とされる。このとき、ストッパー９２は、回転規制位置よりも中心軸９１２の径方向における内側に揺動した位置であって揺動アーム９１の基部９１１の回転を規制しない回転非規制位置にある。
【００５４】
図１４は、ストッパー９２が回転非規制位置とされた後に、更に、オペレーターハンドル８０が回転させられることにより、障子２０が全開となった状態を示しているが、この状態のときに、ストッパー９２を回転規制位置に移動させようとしてスライドスイッチ９５を操作しても、ストッパー先端部９２２が係合用凸部９１４の位置維持部９１４２に当接して、ストッパー９２を回転規制位置に移動させることができない。即ち、位置維持部９１４２は、揺動アーム９１が半開状態よりも障子２０が開かれた状態となる位置に操作されているときに、ストッパー９２を回転非規制位置に維持する。
【００５５】
本実施形態によれば、以下の効果が奏される。
本実施形態では、開閉装置本体としてのハウジング６０は、中空の金属材により構成される金属製本体６５１を有する。これにより、駆動装置部を構成する歯車軸部材６４、駆動側歯車６４２、揺動アーム９１（基部９１１）、及び従動側歯車９１３を、金属製本体６５１の外側から組み込んでいく構造（ホロー）にすることが可能となる。このため、薄肉で強度の高いハウジング６０とすることが可能となり、障子開閉装置５０のハウジングの小型化が図られた建具１とすることが可能である。また、上ケースと下ケースとに分割可能に構成する必要がなくなり、これらを互いに固定するねじも不要となり、ねじがハウジング６０の外側に現れないスリムな意匠を実現できる。このため、障子開閉装置５０の組立工数を削減できる。
【００５６】
また、本実施形態では、金属製本体６５１は、押し出し材により構成されている。このため、開閉装置本体としてのハウジング６０の長手方向について、中空のホロー材で強度を持ちながら、ハウジング６０の長手方向は開口しており、ハウジング６０の内部に収容する部品の挿入が容易であり、且つ、開口部を強度材で蓋する必要がないため、ハウジング６０の長手方向の寸法を極限まで小さくすることができる。
【００５７】
また、本実施形態では、揺動アーム９１の中心軸９１２の一端側の部分は金属製本体６５１の上壁６５１１に回転可能に支持され、中心軸９１２の他端側の部分は金属製本体６５１の上壁６５１１に対向する下壁６５１２に回転可能に支持されている。また、歯車軸部材６４の一端側の部分は、金属製本体６５１の上側傾斜壁部６５１５に支持され、歯車軸部材６４の他端側の部分は、金属製本体６５１の下側傾斜壁部６５１６に支持される。そして、歯車軸部材６４の駆動側歯車６４２と、中心軸９１２を中心として回転する基部９１１の従動側歯車９１３とは螺合している。
【００５８】
このように、駆動側歯車６４２と、従動側歯車９１３とが螺合していることにより、スラストを受ける強度がハウジング６０には要求されるが、これらは、金属製本体６５１の各壁部によって支持されているため、ハウジング６０にかかるスラストに耐える構造としながら、ハウジング６０の薄肉化を図ることが可能となり、ハウジング６０の小型化を図ることが可能である。
【００５９】
また、本実施形態では、ハウジング６０は、金属製本体６５１を覆う樹脂製のカバー部としてのカバー６５２を有する。これにより、ハウジング６０の強度要素は、金属製本体６５１の金属材により確保されているので、化粧カバーとしての樹脂材のカバー６５２の肉厚を薄くでき、外観意匠材としての機能を有する構成とすることが可能である。
【００６０】
また、本実施形態では、規制部材としてのストッパー９２は、被操作部としての揺動アーム９１の基部９１１の回転を規制可能な回転規制位置と、回転規制位置よりも中心軸９１２の径方向における内側の位置であって揺動アーム９１の基部９１１の回転を規制しない回転非規制位置と、の間を移動可能である。
【００６１】
これにより、ストッパー９２が回転非規制位置にあるときに、ストッパー９２は、回転規制位置よりも中心軸９１２の径方向における内側の位置にあるため、屋外からオペレーターハンドル８０を操作し、障子２０を開けることを防止でき、屋外からの侵入を防止することができる。また、ストッパー９２が回転規制位置にあるときのストッパー９２の位置よりも、中心軸９１２の径方向における外側の位置にストッパー９２を移動可能なストッパー９２の逃がししろを確保する必要がなくなる。この結果、障子開閉装置５０のハウジング６０の小型化を図ることが可能となり、コンパクトな構成とすることが可能となる。
【００６２】
また、本実施形態では、規制部材係合部９１４は、障子２０を閉じた状態となる位置に揺動アーム９１の基部９１１が操作されるまでの間、ストッパー９２が回転非規制位置へ移動することを規制する規制部材移動規制部９１４１を有する。これにより、障子２０を全閉の状態にしないとストッパー９２を回転非規制位置に移動することができないため、屋外からストッパー９２を回転非規制位置に移動させることができないようにすることが可能となる。この結果、屋外からの侵入を防止することが可能となり、防犯性を高めることが可能となる。
【００６３】
また、本実施形態では、規制部材係合部９１４は、揺動アーム９１の基部９１１が半開状態よりも障子２０が開かれた状態となる位置に操作されているときに、ストッパー９２を回転非規制位置に維持する位置維持部９１４２を備える。これにより、揺動アーム９１の基部９１１が半開状態よりも障子２０が開かれた状態となる位置に操作されているときに、ストッパー９２が回転規制位置に移動してしまい、ストッパー９２が回転非規制位置に戻らなくなったり、障子２０が閉まらなくなったり、ストッパー９２が規制部材係合部９１４に干渉したり、というような不具合が発生することを回避することが可能となる。
【００６４】
また、基部９１１は、第１被回転部としての下板部９１１６と、下板部９１１６と一体回転可能な第２被回転部としての上板部９１１２と、を有し、下板部９１１６は、第１被係合貫通孔としての下板貫通孔９１１７を有し、上板部９１１２は、規制部材係合部９１４と、規制部材移動規制部９１４１と、第２被係合貫通孔としての上板貫通孔９１１３と、を有し、中心軸９１２は、上板貫通孔９１１３及び下板貫通孔９１１７を貫通し連結する係合柱部としての四角柱部９１２３を有する。
【００６５】
従動側歯車９１３を構成する下板部９１１６を、上板部９１１２と一体で生産する場合、プレス加工が複雑になったり、別部材で構成する場合、スポット溶接をしたりしなければならない、という問題があったが、上記実施形態においては、下板部９１１６と上板部９１１２とを四角柱部９１２３で連結して一体回転可能としたため、容易にこの一体回転可能な構成を実現することができる。
【００６６】
また、本実施形態では、操作部としてのオペレーターハンドル８０は、障子２０を開閉操作可能な操作位置と、障子２０を開閉操作しないときに障子開閉装置５０の開閉装置本体としてのハウジング６０の外面６１２に沿って配置される非操作位置と、に回動軸Ｊ１を中心に回動可能である。そして、障子開閉装置５０は、オペレーターハンドル８０が操作位置にあるときに、オペレーターハンドル８０が回動軸を中心に回動することを防止するための回動防止機構（周方向凹部６０１、係合軸部８１６、被駆動部８１７、係合軸部８１９）と、回動防止機構による操作部の回動の防止を解除するための解除部材としてのボタン８１８と、を有し、ボタン８１８は、オペレーターハンドル８０が非操作位置にあるときに、開閉装置本体としてのハウジング６０の外面６１２に対向するオペレーターハンドル８０のハンドル本体８１の部分に設けられている。
【００６７】
これにより、オペレーターハンドル８０が非操作位置にあるときには、オペレーターハンドル８０を操作する側である屋内側から障子開閉装置５０を見たときに、ボタン８１８及び切替スイッチ６１４はハンドル本体８１によって隠された状態とすることができ、見えない状態とすることができる。このため、屋内側から障子開閉装置５０を見たときに、ボタン８１８及び切替スイッチ６１４によるデザイン上のノイズを無くすことができ、デザイン性の向上を図ることができる。
【００６８】
なお、本発明は上記実施形態に限定されるものではなく、本発明の目的を達成できる範囲での変形、改良等は本発明に含まれる。
【００６９】
例えば、上記実施形態では、建具１は、横辷り出しの開閉窓により構成されていたが、この構成に限定されない。例えば、建具は、縦辷り出しの開閉窓や、連窓、高所窓、天窓、ルーバー窓、ジャロジー、排煙窓等により構成されてもよい。
【００７０】
また、枠体、障子、障子開閉装置の回動防止機構、解除部材等の構成は、本実施形態による枠体１０、障子２０、障子開閉装置５０の周方向凹部６０１、係合軸部８１６、被駆動部８１７、ボタン８１８、等の構成に限定されない。例えば、障子開閉装置は、下枠以外の枠体の部分、例えば、縦枠に取り付けられてもよい。
また、障子開閉装置の開閉装置本体、駆動装置部等の構成は、本実施形態による障子開閉装置５０のハウジング６０、歯車軸部材６４、駆動側歯車６４２、揺動アーム９１、基部９１１、従動側歯車９１３の構成に限定されない。
また、被操作部、操作部、規制部材、規制部材係合部、規制部材移動規制部、位置維持部等の構成は、本実施形態による揺動アーム９１、基部９１１、オペレーターハンドル８０、ストッパー９２、規制部材係合部９１４、規制部材移動規制部９１４１、位置維持部９１４２の構成に限定されない。
また、オペレーターハンドル８０に代えて、電動モータを設けて、モータの回転により揺動アームを揺動させるようにしてもよい。
即ち、例えば、ハウジングの内部にモータが収容されて、前記実施形態における操作回転軸Ｊ２（図４参照）がモータの出力軸により揺動アームが駆動されてもよいし、また、例えば、図１５に示すように、障子開閉装置５０Ａのハウジング６０Ａの内部にモータ８０Ａが収容されて、モータ８０Ａの出力軸８１Ａに螺刻されて形成された歯車が、揺動アーム９１Ａの基部９１１Ａの従動側歯車９１３（図７等参照）に螺合する構成として、揺動アーム９１Ａが中心軸９１２Ａを中心として駆動されてもよい。  
これにより、オペレーターハンドルを操作しなくても容易に窓の開閉を行うことが可能な障子開閉装置であって、ハウジングの小型化が図られ、組立工数が少ない障子開閉装置とすることが可能となる。
また、第１被回転部、第２被回転部、係合柱部等の構成は、本実施形態における、下板部９１１６、上板部９１１２、四角柱部９１２３等の構成に限定されない。例えば、上板貫通孔、下板貫通孔の形状は、六角形であってもよく、この場合には、係合柱部は、六角柱部により構成されればよい。また、上板貫通孔、下板貫通孔の形状は、多角形に限られず、係合柱部に係合可能であり、且つ、係合しているときに、第１被回転部、第２被回転部に対して係合柱部が回転しないような、円形以外の形状であればよい。
【符号の説明】
【００７１】
１  建具
１０  枠体
２０  障子
５０  障子開閉装置
６０  ハウジング（開閉装置本体）
６３Ａ  ハンドル収容部（操作部被係合部）
６４  歯車軸部材（駆動装置部）
８０  オペレーターハンドル（操作部）
９１  揺動アーム（駆動装置部）
９２  ストッパー（規制部材）
６０１  周方向凹部（回動防止機構）
６０５Ａ  ボタン収容凹部（解除部材被係合部）
６１２  外面
６４２  駆動側歯車（駆動装置部）
６５１  金属製本体
６５２  カバー（樹脂製のカバー部）
８１６  係合軸部（回動防止機構）
８１７  被駆動部（回動防止機構）
８１８  ボタン（解除部材）
８１９  係合軸部（回動防止機構）
９１１  基部（駆動装置部）
９１２  中心軸（被操作部）
９１３  従動側歯車（駆動装置部）
９１４  規制部材係合部
９２２  ストッパー先端部
６５１１  上壁（一の壁部）
６５１２  下壁（他の壁部）
６５１５  上側傾斜壁部（一の壁部）
６５１６  下側傾斜壁部（他の壁部）
９１１２  上板部（第２被回転部）
９１１３  上板貫通孔（第２被係合貫通孔）
９１１６  下板部（第１被回転部）
９１１７  下板貫通孔（第１被係合貫通孔）
９１２３  四角柱部（係合柱部）
９１４１  規制部材移動規制部
９１４２  位置維持部
Ｊ１  回動軸
【図１】
2020200693.tif 000003
【図２】
2020200693.tif 000004
【図３】
2020200693.tif 000005
【図４】
2020200693.tif 000006
【図５】
2020200693.tif 000007
【図６】
2020200693.tif 000008
【図７】
2020200693.tif 000009
【図８】
2020200693.tif 000010
【図９】
2020200693.tif 000011
【図１０】
2020200693.tif 000012
【図１１】
2020200693.tif 000013
【図１２】
2020200693.tif 000014
【図１３】
2020200693.tif 000015
【図１４】
2020200693.tif 000016
【図１５】
2020200693.tif 000017